(57)【要約】【課題】コレステリック液晶の選択反射能を利用して画像表示する液晶表示素子を単純マトリクス駆動する液晶表示装置であって、画像表示ムラ、特に光反射率の差に基づく表示ムラの抑制された液晶表示装置を提供する。【解決手段】各走査電極１１３に所定走査時間間隔Ｔｓｓで、液晶１１６をホメオトロピック状態にするためのリセット電圧Ｖ１、走査電極１１３を選択状態とする選択信号電圧Ｖ２及び液晶の状態を確立するための維持電圧Ｖ３という一群の電圧を順次印加する一方、各信号電極１１４に走査電極への選択信号電圧印加に同期して選択状態の走査電極に対応する書換え信号電圧Ｖ４を印加して画像を表示させ、維持電圧Ｖ３は印加期間Ｔｒｔで印加し、期間Ｔｒｔは、液晶にそれをホメオトロピック状態にする電圧を印加してホメオトロピック状態とした後放置したとき液晶の反射光強度が飽和反射光強度の５％から９５％まで変化するに要する時間Ｔｄとの間にＴｄ×３≦Ｔｒｔ≦Ｔｄ×１２の関係を満足する期間とする、或いは２５℃の温度環境において３ｍｓ≦Ｔｒｔ≦９ｍｓとする。【選択図】  図４
2004198808.tif 000002
【特許請求の範囲】
【請求項１】
コレステリック液晶の選択反射を利用して画像表示を行う液晶表示素子と、該液晶表示素子を駆動するための駆動装置とを備えた液晶表示装置であり、該駆動装置は、前記液晶をホメオトロピック状態にするための電圧を液晶に印加するリセット期間、最終的な液晶の状態を選択するための電圧を印加する選択期間及び選択期間で選択される状態を確立するための電圧を印加する維持期間を有する駆動電圧を印加して画像を表示させ、前記維持期間Ｔｒｔは、前記液晶を該液晶にホメオトロピック状態とする電圧を印加してホメオトロピック状態とした後電圧印加を停止して放置したとき該液晶の反射光強度が飽和反射光強度の５％から９５％まで変化するに要する時間Ｔｄとの間にＴｒｔ≦Ｔｄ×１２の関係を満足する期間とすることを特徴とする液晶表示装置。
【請求項２】
前記維持期間Ｔｒｔは、Ｔｄ×３≦Ｔｒｔ≦Ｔｄ×１２の関係を満足する請求項１記載の液晶表示装置。
【請求項３】
コレステリック液晶の選択反射を利用して画像表示を行う液晶表示素子と、該液晶表示素子を駆動するための駆動装置とを備えた液晶表示装置であり、該駆動装置は、前記液晶をホメオトロピック状態にするための電圧を液晶に印加するリセット期間、最終的な液晶の状態を選択するための電圧を印加する選択期間及び選択期間で選択される状態を確立するための電圧を印加する維持期間を有する駆動電圧を印加して画像を表示させ、前記維持期間Ｔｒｔを２５℃の温度環境を基準としたときに９ミリ秒以下とすることを特徴とする液晶表示装置。
【請求項４】
前記維持期間Ｔｒｔは２５℃の温度環境を基準としたときに３ミリ秒以上９ミリ秒以下とする請求項３記載の液晶表示装置。
【請求項５】
前記駆動装置は、液晶表示素子周囲の環境温度に合わせて前記各期間の長さを制御する請求項１〜４のいずれかに記載の液晶表示装置。
【発明の詳細な説明】
【０００１】
【発明の属する技術分野】
本発明は液晶表示装置に関する。
【０００２】
【従来の技術】
液晶表示装置は、液晶表示素子とこれを駆動するための駆動装置などを備えている。
【０００３】
液晶表示素子は、基本的に一対の基板とこれら基板間に挟持された液晶とを含んでいる。この液晶に所定の駆動電圧を印加することで液晶分子の配列を制御し、素子に入射される外光を変調して目的とする画像を表示できる。
【０００４】
液晶表示素子は様々なものが提案されている。近年、ネマティック液晶にカイラル材料を添加することにより、室温においてコレステリック相を示すようにしたカイラルネマティック液晶などのコレステリック相を示す液晶（コレステリック液晶）を用いた液晶表示素子が研究されている。
【０００５】
このタイプの液晶表示素子は、例えば、カイラルネマティック液晶の選択反射能を利用した反射型の液晶表示素子として用いることができる。この反射型液晶表示素子では高低のパルス電圧を印加することにより液晶をプレーナ状態（着色状態）とフォーカルコニック状態（透明状態）に切り替えて表示を行なうことができる。かかる素子は、液晶のプレーナ状態及びフォーカルコニック状態が電圧印加を停止した後も保持されるという、いわゆる双安定性或いはメモリー性を示し、これにより、電圧の印加を停止した後も表示が保たれるようにすることが可能である。
【０００６】
この反射型の液晶表示素子には、黒色などの背景色を利用したモノクロ（モノカラー）画像表示や２色画像表示及びフルカラー画像表示を行うものがある。
【０００７】
例えば、フルカラー表示を実現する一つの方法として、赤色表示を行う赤色液晶層、緑色表示を行う緑色液晶層及び青色表示を行う青色液晶層の少なくとも三つの液晶層を含む積層型液晶表示素子を採用することができる。かかる積層型液晶表示素子では、プレーナ状態（着色状態）のときに赤色、緑色、青色等を表示でき、フォーカルコニック状態（透明状態）のときに黒色などの背景色を表示できる。
【０００８】
このような液晶表示素子では、通常、一対の基板にそれぞれ電極が形成されており、これら基板は電極形成面が互いに向かい合うように配置されている。例えば、マトリクス駆動される複数の画素で構成された画面を有する液晶表示素子では、一対の基板のうち一方の基板に所定間隔をおいて平行に並んだ複数本の走査電極（又は信号電極）が、他方の基板に所定間隔をおいて平行に並んだ複数本の信号電極（又は走査電極）が平面からみてそれらが互いに交差するように形成されている。該両基板に形成された電極が交差する各部分が画素を構成する。
【０００９】
この両基板に形成された各電極が液晶表示素子を駆動するための駆動装置に接続される。これら電極に接続された駆動装置から両電極に所定の駆動電圧が印加されて液晶が駆動されることで目的とする画像が表示される。
かかる液晶表示素子の駆動方法として、例えば、単純マトリクス駆動方法を挙げることができる。
【００１０】
単純マトリクス駆動方法では、液晶表示素子を駆動する駆動装置として、例えば、複数の走査電極に接続され、走査電極に所定の選択信号電圧を供給する走査駆動ＩＣ、及び複数の信号電極に接続され、信号電極に所定の書換え信号電圧を供給する信号駆動ＩＣを含んでいる駆動装置を用いる。走査電極に接続される走査駆動ＩＣから一定の走査時間間隔をおいて走査電極ごとに所定の選択信号電圧を順次印加して各走査電極を順次選択状態とする一方、信号電極に接続される信号駆動ＩＣから、各走査電極に印加される選択信号電圧に同期して信号電極ごとに所定の書換え信号電圧を印加することで前記選択信号電圧と前記書換え信号電圧との電位差の電圧を前記液晶に印加して該液晶を駆動する。
【００１１】
また、コレステリック液晶の選択反射能を利用して画像表示できる液晶表示素子の単純マトリクス駆動では、コレステリック液晶の特性を考慮して、各走査電極に選択信号電圧を印加するにあたり、該選択信号電圧の印加の前に液晶をホメオトロピック状態にするための電圧を印加し、その後に選択電圧を印加し、さらにその後、選択信号電圧と書換え信号電圧との電位差により決定される液晶最終状態を確立するための電圧を印加することが提案されている（米国特許第５，７４８，２７７号、特表２０００−５１４９３２号公報）。
【特許文献１】米国特許第５，７４８，２７７号
【特許文献２】特表２０００−５１４９３２号公報
【００１２】
【発明が解決しようとする課題】
しかしながら、コレステリック液晶の選択反射能を利用して画像表示できる液晶表示素子の単純マトリクス駆動において、各走査電極に所定走査時間間隔で、液晶をホメオトロピック状態にするためのリセット電圧、走査電極を選択状態とする選択信号電圧及び液晶の状態を確立するための維持電圧という一群の電圧を順次印加する一方、各信号電極に走査電極への選択信号電圧印加に同期して選択状態の走査電極に対応する書換え信号電圧を印加して画像を表示させる場合には、しばしば画面各部間での光反射率差による画像表示ムラが発生する。
【００１３】
そこで本発明は、コレステリック液晶の選択反射能を利用して画像表示する液晶表示素子を有する液晶表示装置であって、画像表示ムラ、特に光反射率の差に基づく表示ムラの抑制された液晶表示装置を提供することを課題とする。
【００１４】
【課題を解決するための手段】
本発明者は前記課題を解決するため研究を重ね次の知見を得た。
ＴＮ型液晶表示素子やＳＴＮ型液晶表示素子などでは表示原理上の必要性から配向膜が設けられる。コレステリック液晶の選択反射能を利用して画像表示する液晶表示素子においても原理上必須ではないが、素子特性の安定化等の目的で、液晶層を挟む一対の基板のうち少なくとも一方にポリイミドなどからなる配向膜が形成されたり、基板面に配向処理が施されることがある。例えば配向膜を設ける場合は、図１６（Ａ）に例示するように、配向膜印刷形成時の印刷ムラ、印刷した配向膜の乾燥ムラ等により配向膜各部間で液晶分子の向きを制御するプレチルト角にムラが生じることがある。換言すれば、配向膜各部間でプレチルト角の大小等が生じることがある。基板面に配向処理を施す場合にもプレチルト角にムラが生じることがある。
【００１５】
このようにプレチルト角にムラがあると、液晶に選択信号電圧と書換え信号電圧との電位差による駆動電圧を印加して液晶の最終状態（例えばフォーカルコニック状態とプレーナ状態とが混在した中間調状態）を決定したあと、前記の維持電圧を印加したとき、該維持電圧印加期間（Ｔｒｔ）が長いと、図１６（Ａ）に例示するように、液晶分子が配向膜の設けられた又は配向処理の施された基板面（配向面）の状態に揃ってしまう傾向があるものと推定され、それにより配向面のプレチルト角が小さい領域に臨む液晶の反射率とプレチルト角が大きい領域に臨む液晶の反射率とが、例えば前者が１８％、後者が１５％というようにその光反射率Ｒ（％）の差ΔＲ（％）が３％となり、液晶表示素子を観察したときその差がムラとして視認されやすい。
【００１６】
しかし、維持電圧印加期間（Ｔｒｔ）を短くすると、図１６（Ｂ）に例示するように、液晶分子が配向面の状態に揃ってしまうことが抑制されるものと推定され、配向面のプレチルト角が小さい領域に臨む液晶の反射率とプレチルト角が大きい領域に臨む液晶の反射率とが、例えば前者が１７％、後者が１６％というようにその光反射率差ΔＲ％が１％と小さくなり、液晶表示素子を観察したとき、その差がムラとして視認され難くなる。
【００１７】
維持電圧印加期間Ｔｒｔを、
(1) 液晶をそれにホメオトロピック状態とする電圧を印加してホメオトロピック状態とした後電圧印加を停止して放置したとき該液晶の反射光強度が飽和反射光強度の５％から９５％まで変化するに要する時間がＴｄであるとき、Ｔｄの１２倍程度以下、或いは(2) ２５℃の温度環境を基準としたときにＴｒｔ≦９ミリ秒（９ｍｓ）程度
とすれば、素子各部間での光反射率差が少なくなり、反射率差によるムラが視認されにくくなる。
【００１８】
以上の知見に基づき本発明は次の液晶表示装置を提供する。
本発明が提供する液晶表示装置は、コレステリック液晶の選択反射を利用して画像表示を行う液晶表示素子と、該液晶表示素子を駆動するための駆動装置とを備えた液晶表示装置である。
【００１９】
該駆動装置は、前記液晶をホメオトロピック状態にするための電圧を液晶に印加するリセット期間、最終的な液晶の状態を選択するための電圧を印加する選択期間及び選択期間で選択される状態を確立するための電圧を印加する維持期間を有する駆動電圧を印加して画像を表示させる。
典型的には、液晶表示素子は液晶層を介して交差する複数の走査電極及び複数の信号電極を有するものである。また、典型的には、駆動装置は単純マトリクス駆動により液晶表示素子を駆動するものであり、各走査電極に所定走査時間間隔で、液晶をホメオトロピック状態にするためのリセット電圧、走査電極を選択状態とする選択信号電圧及び液晶の状態を確立するための維持電圧という一群の電圧を順次印加する一方、各信号電極に前記走査電極への選択信号電圧印加に同期して選択状態の走査電極に対応する書換え信号電圧を印加して画像を表示させるものである。
【００２０】
維持期間Ｔｒｔは、
(1) 液晶に前記リセット電圧を印加してホメオトロピック状態とした後電圧印加を停止して放置したとき液晶表示素子の反射光強度が飽和反射光強度の５％から９５％まで変化するに要する時間Ｔｄとの間にＴｒｔ≦Ｔｄ×１２、より好ましくはＴｄ×３≦Ｔｒｔ≦Ｔｄ×１２の関係を満足する期間、或いは
(2) ２５℃の温度環境を基準としたときに９ミリ秒（９ｍｓ）以下、より好ましくは３ミリ秒（３ｍｓ）以上９ミリ秒（９ｍｓ）以下である。
前記(1) におけるＴｄ×３、(2) における３ミリ秒（３ｍｓ）はコントラスト低下抑制の観点から選ばれた値である。
【００２１】
前記Ｔｄは液晶がリセット電圧の印加によりホメオトロピック状態とされ、その後該リセット電圧印加が停止されてから状態変化して一定の状態に達するに要する時間であり、いわば液晶の立ち下がり時間であり、その液晶の変化のしやすさ、換言すれば、変化しにくさをあらわしていると言える。Ｔｄは、液晶材料の粘度や弾性定数等の、温度特性を持つ物性値と強い相関がある。従って、液晶のＴｄに応じて表示ムラを抑制するＴｒｔを決定できる。
【００２２】
液晶によってＴｄは異なってはくるが、コレステリック液晶の選択反射を利用して画像表示を行う液晶表示素子に利用されるコレステリック液晶についてみれば、より確実な表示ムラ抑制という観点から、２５℃の温度環境下ではＴｄ×１２は概ね９ｍｓ程度と置き換えてもよく、コントラスト低下の抑制という観点から、２５℃の温度環境下ではＴｄ×３は概ね３ｍｓ程度と置き換えてもよい。
駆動装置は、液晶表示素子周囲の環境温度に合わせて前記各期間の長さを制御することが好ましい。
【００２３】
【発明の実施の形態】
本発明の実施の形態について図面を参照して説明する。
（液晶表示素子、図１参照）
まず、液晶表示素子について説明する。
図１は単純マトリクス駆動方式により駆動できる反射型積層型のフルカラー液晶表示素子の１例の概略構成を示している。
【００２４】
この液晶表示素子１００は、光吸収層１２１の上に、赤色の選択反射状態と透明状態の切換えにより表示を行う赤色表示層１１１Ｒを配し、その上に緑色の選択反射状態と透明状態の切換えにより表示を行う緑色表示層１１１Ｇを積層し、さらに、その上に青色の選択反射状態と透明状態の切換えにより表示を行う青色表示層１１１Ｂを積層したものである。
【００２５】
各表示層１１１Ｒ、１１１Ｇ、１１１Ｂは、それぞれ透明電極１１３、１１４を形成した透明基板１１２間に樹脂製柱状構造物１１５、液晶１１６及びスペーサ１１７を挟持したものである。透明電極１１３、１１４上には必要に応じて絶縁膜１１８、配向膜１１９が設けられる。基板１１２の周縁部（表示領域外）には液晶１１６を封止するためのシール材１２０が設けられる。
【００２６】
透明電極１１３、１１４はそれぞれ走査駆動ＩＣ１３１、信号駆動ＩＣ１３２（図２参照）に接続されており、透明電極１１３、１１４にそれぞれ所定のパルス電圧が印加される。この印加電圧に応答して、液晶１１６の表示が可視光を透過する透明状態と特定波長の可視光を選択的に反射する選択反射状態との間で切り換えられる。印加電圧によっては透明状態と選択反射状態の混在した中間調表示も可能である。
【００２７】
各表示層１１１Ｒ、１１１Ｇ、１１１Ｂに設けられている透明電極１１３、１１４は、それぞれ微細な間隔を保って平行に並べられた複数の帯状電極よりなり、その帯状電極の並ぶ向きが平面から見て互いに直角方向となるように対向させてある。これら上下の帯状電極に順次通電が行われる。即ち、各液晶１１６に対してマトリクス状に順次電圧が印加されて表示が行われる。これをマトリクス駆動と称し、電極１１３、１１４が交差する部分が各画素を構成する。このようなマトリクス駆動を各表示層ごとに行うことにより液晶表示素子１００にフルカラー画像の表示を行える。
【００２８】
表示層１１１Ｒ、１１１Ｇ、１１１Ｂを積層した液晶表示素子１００は、青色表示層１１１Ｂ及び緑色表示層１１１Ｇを液晶分子がフォーカルコニック配列となった透明状態とし、赤色表示層１１１Ｒを液晶分子がプレーナ配列となった選択反射状態とすることにより、赤色表示を行うことができる。また、青色表示層１１１Ｂを液晶分子がフォーカルコニック配列となった透明状態とし、緑色表示層１１１Ｇ及び赤色表示層１１１Ｒを液晶分子がプレーナ配列となった選択反射状態とすることにより、イエローの表示を行うことができる。同様に、各表示層の状態を透明状態と選択反射状態とを適宜選択することにより赤色、緑色、青色、白色、シアン、マゼンタ、イエロー、黒色の表示が可能である。さらに、各表示層１１１Ｒ、１１１Ｇ、１１１Ｂの状態として中間の選択反射状態を選択することにより中間色の表示が可能となり、フルカラー表示素子として利用できる。
【００２９】
液晶１１６としては、室温でコレステリック相を示すコレステリック液晶が採用される。特に、ネマチック液晶にコレステリック相を示すのに十分な量のカイラル材を添加することによって得られるカイラルネマチック液晶が好適である。
【００３０】
カイラル材は、ネマチック液晶に添加された場合にネマチック液晶の分子を捩じる作用を有する添加剤である。カイラル材をネマチック液晶に添加することにより、所定の捩じれ間隔を有する液晶分子の螺旋構造が生じ、これによりコレステリック相を示す。
【００３１】
なお、液晶表示層は必ずしもこの構成に限定されるわけではなく、樹脂製構造物が堰状になったものや、樹脂製構造物を省略したものであってもよい。また、従来公知の高分子の３次元網目構造のなかに液晶が分散された、あるいは、液晶中に高分子の３次元網目構造が形成された、いわゆる高分子分散型の液晶複合膜として液晶表示層を構成することも可能である。
配向膜には必要に応じラビング処理を施してもよい。基板としてはガラス基板、樹脂フィルム基板等を採用できる。
また、液晶表示素子は３層だけでなく２つの素子を積層したものや４つの素子を積層したものであってもよいし、単層型の素子であってもよい。２層積層型素子の例としては、青色の選択反射を行う素子と黄色の選択反射を行う素子とを積層し両者を同時に駆動することで白黒表示を行う積層型モノクロ表示素子が挙げられる。４層積層型素子の例としては、上記３層積層型素子に黄色の選択反射を行う素子を追加したものが挙げられる。単層型素子の例としては、選択反射ピークがブロードな特性を示す液晶を用いたモノクロ表示素子や、黄色の選択反射を行う液晶を用いた素子と青色の光吸収層とを備えることにより、青白表示を行うモノカラー表示素子が挙げられる。
【００３２】
（駆動回路、図２及び図３参照）
図２に液晶表示層に駆動電圧を印加する駆動装置の主要部である駆動回路の１例のブロック図を示し、図３に図２に示す駆動回路の詳細な構成を示す。なお、図３に示したロジック電源、ロジックレベルシフタは図２では図示を省略している。
前記液晶表示素子１００及び図２、図３に示す駆動装置によって液晶表示装置が構成される。
【００３３】
この液晶表示装置では、後述する制御部ＣＯＮＴにて画像メモリ１３８に記憶された画像データに基づいてＬＣＤコントローラ１３６が駆動ＩＣ１３１、１３２を制御し、液晶表示素子１００のそれぞれの走査電極及び信号電極間に順次電圧を印加し、液晶表示素子１００に画像を書き込む。
【００３４】
なお、図２及び図３では、赤色、緑色、青色の各表示層のうちのいずれかの表示層に駆動ＩＣ１３１、１３２を設けた状態を示しているが、実際には駆動ＩＣ１３１、１３２は赤色、緑色、青色の各表示層ごとにそれぞれ設けてある（すなわち３系統設けてある）。赤色、緑色、青色の各表示層ごとにそれぞれＩＣ１３１、１３２を設ける（すなわち３系統設ける）代わりに、駆動ＩＣ１３１又は１３２のいずれかを各表示層で共用することも可能である。なお、単層の液晶表示素子の場合は駆動ＩＣが１系統のみとなる点が本実施形態と異なるだけで、他の事項は全て単層の液晶表示素子にも当てはまる。
【００３５】
図２及び図３に示す駆動装置は、走査駆動ＩＣ（ドライバ）１３１、信号駆動ＩＣ（ドライバ）１３２、制御部ＣＯＮＴ及び電源１４０を含んでいる。
【００３６】
制御部ＣＯＮＴは、全体の制御を行う中央処理装置（ＣＰＵ）１３５と、駆動ＩＣを制御するＬＣＤコントローラ１３６と、画像データに各種の処理を施す画像処理装置１３７と、画像データを記憶する画像メモリ１３８とを備えており、電源１４０から電力が供給される。この制御部ＣＯＮＴは、信号駆動ＩＣ１３２に接続されているとともに、ロジックレベルシフタを介して走査駆動ＩＣ１３１に接続されている。なお、ロジックレベルシフタは走査駆動ＩＣに供給する電圧に対応するグランド（ＧＮＤ）が０Ｖであるべきところ電位が変化したときの補償のために該電位をシフトさせ、０Ｖにもどす回路である。ＬＣＤコントローラ１３６はＣＰＵ１３５からの指示により、画像メモリ１３８を参照しながら各駆動ＩＣを駆動する。液晶表示装置内には、液晶表示素子近傍の環境温度を測定するための温度センサ１５０が設けられており、中央処理装置１３５に環境温度情報を与えるようになっている。
【００３７】
液晶表示素子１００の画素構成は、図２に示すように、複数本の走査電極１１３（図２ではＲ１、Ｒ２〜Ｒｍ）と信号電極１１４（図２ではＣ１、Ｃ２〜Ｃｎ）（ｍ、ｎは自然数）とのマトリクスで表される。走査電極Ｒ１、Ｒ２〜Ｒｍは走査駆動ＩＣ１３１の出力端子に接続され、信号電極Ｃ１、Ｃ２〜Ｃｎは信号駆動ＩＣ１３２の出力端子に接続される。
【００３８】
走査駆動ＩＣ１３１は、既述のとおり走査電極Ｒ１、Ｒ２〜Ｒｍに接続される一方、制御部ＣＯＮＴに接続されるとともに電源１４０に接続され、制御部ＣＯＮＴの指示のもと電源１４０から出力される複数種類からなる一群の電圧（ここでは、リセット電圧（＋Ｖ１、−Ｖ１）、選択信号電圧（＋Ｖ２、−Ｖ２）、維持電圧（＋Ｖ３、−Ｖ３））を走査電極Ｒ１、Ｒ２〜Ｒｍに印加する。リセット電圧、選択信号電圧、維持電圧はここではいずれもパルス電圧である。
【００３９】
走査電極に駆動電圧＋Ｖ１〜＋Ｖ３、−Ｖ１〜−Ｖ３のそれぞれを供給するための接続線の途中には、いずれも該電圧に対応するグランド（ＧＮＤ）に接続された電圧安定化用のコンデンサＣが接続されている。なお、走査駆動ＩＣ１３１に接続されているロジック電源は走査駆動ＩＣに電力を供給するための電源である。
【００４０】
信号駆動ＩＣ１３２は、既述のとおり信号電極Ｃ１、Ｃ２〜Ｃｎに接続される一方、制御部ＣＯＮＴに接続されるとともに電源１４０に接続され、制御部ＣＯＮＴの指示のもと電源１４０から出力される駆動電圧（書換え信号電圧（＋Ｖ４、−Ｖ４））を信号電極Ｃ１、Ｃ２〜Ｃｎに印加する。
【００４１】
信号電極に各駆動電圧＋Ｖ４、−Ｖ４を供給するための接続線の途中には、いずれも該電圧に対応するグランド（ＧＮＤ）に接続された電圧安定化用のコンデンサＣが接続されている。
【００４２】
さらに説明すると、走査駆動ＩＣ１３１は、制御部ＣＯＮＴの指示のもと、走査電極Ｒ１、Ｒ２〜Ｒｍのうち所定のものに選択信号を出力して選択状態とする一方、他の電極には非選択信号を出力して非選択状態とする。走査駆動ＩＣ１３１は、所定の走査時間間隔で電極を切り換えながら順次各走査電極Ｒ１、Ｒ２〜Ｒｍに選択信号を印加してゆく。一方、信号駆動ＩＣ１３２は、制御部ＣＯＮＴの指示のもと、選択状態にある走査電極Ｒ１、Ｒ２〜Ｒｍ上の各画素を書き換えるべく、画像データに応じた信号を各信号電極Ｃ１、Ｃ２〜Ｃｎに同時に出力する。例えば、走査電極Ｒａが選択されると（ａはａ≦ｍを満たす自然数）、この走査電極Ｒａと各信号電極Ｃ１、Ｃ２〜Ｃｎとの交差部分の画素ＬＲａ−Ｃ１〜ＬＲａ−Ｃｎが同時に書き換えられる。これにより、各画素における走査電極に印加される選択パルスと信号電極に印加される信号パルスとの電圧差が画素書換えのための電圧となり、各画素がこの電圧に応じて書き換えられる。
【００４３】
制御部ＣＯＮＴは、液晶表示素子１００のマトリクス駆動のための各フレームの走査において走査電極Ｒ１、Ｒ２〜Ｒｍへ印加する駆動電圧の極性を、各フレームにおいては単一極性とし、フレーム毎に反転させるように走査駆動ＩＣ１３１を制御する。さらに言えば、ここでは奇数番目フレームの走査においては走査駆動ＩＣ１３１にて正のリセットパルス＋Ｖ１、正の選択パルス＋Ｖ２及び正の維持パルス＋Ｖ３という一群の電圧を順次各走査電極Ｒ１、Ｒ２〜Ｒｍに印加するとともに信号駆動ＩＣ１３２にて信号パルス±Ｖ４を各信号電極Ｃ１、Ｃ２〜Ｃｎに印加する。偶数番目フレームの走査においては走査駆動ＩＣ１３１にて負のリセットパルス−Ｖ１、負の選択パルス−Ｖ２及び負の維持パルス−Ｖ３という一群の電圧を順次各走査電極Ｒ１、Ｒ２〜Ｒｍに印加するとともに信号駆動ＩＣ１３２にて信号パルス±Ｖ４を各信号電極Ｃ１、Ｃ２〜Ｃｎに印加する（図４から図６参照）。
【００４４】
このとき、選択パルス（＋Ｖ２、−Ｖ２）の印加時間Ｔｓｐは走査時間Ｔｓｓの２分の１とし、信号パルス±Ｖ４を走査時間Ｔｓｓ内で極性が変化する電圧であって正負の実効電圧が走査時間Ｔｓｓ内において等しい又は略等しい電圧とする。さらに、信号パルスが、走査時間内で正電圧である時間の合計と負電圧である時間の合計のそれぞれが選択パルスの印加時間Ｔｓｐと同長になるようにする。制御部ＣＯＮＴは選択パルス（＋Ｖ２、−Ｖ２）の印加時間Ｔｓｐを走査時間Ｔｓｓの２分の１とするように走査駆動ＩＣ１３１を制御し、信号パルス±Ｖ４を走査時間Ｔｓｓ内で極性が変化するとともに正負の実効電圧が走査時間Ｔｓｓ内において等しい又は略等しい電圧とし、且つ、該信号パルスが、走査時間内で正電圧である時間の合計と負電圧である時間の合計のそれぞれが選択パルス（＋Ｖ２、−Ｖ２）の印加時間と同長になるように信号駆動ＩＣ１３２を制御する。これについては後述する駆動原理及び基本駆動例のところで詳しく説明する。
【００４５】
なお、ここでは信号パルス±Ｖ４は、デューティ比が５０％で、さらに正負電圧（＋Ｖ４、−Ｖ４）の絶対値が同じである矩形パルスとしている。
【００４６】
この駆動装置において、電源１４０は正負両方の電圧を少なくとも駆動動作中常に供給する電源であり、走査電極Ｒ１、Ｒ２〜Ｒｍへの駆動電圧の印加は電源１４０に接続された走査駆動ＩＣにより行っている。しかし、それに限定されるものではなく、走査電極Ｒ１、Ｒ２〜Ｒｍへの駆動電圧の印加を出力電圧の正負切り替え可能である電源に接続された走査駆動ＩＣにより行ってもよい。
【００４７】
図７及び図８に図３に示す駆動回路の他の構成例を示す。
図７及び図８に示す回路構成では、図３に示す回路構成において電源１４０と走査駆動ＩＣとの間に電源切替回路１４１を配置してある。電源１４０と電源切替回路１４１とで出力電圧の正負切り替え可能である電源１４０’を構成している。電源１４０’は制御部ＣＯＮＴに接続されており、４個のスイッチング素子ＳＷ１〜ＳＷ４を有している。
【００４８】
素子ＳＷ１〜ＳＷ４は、制御部ＣＯＮＴの指示のもと、正の電圧を印加する状態（図中１側）又は負の電圧を印加する状態（図中２側）に同時切り換えられ、１側の状態にあるときは電源１４０からの正の電圧＋Ｖ１、＋Ｖ２、＋Ｖ３を、２側の状態にあるときは電源１４０からの負の電圧−Ｖ１、−Ｖ２、−Ｖ３を走査駆動ＩＣ１３１に供給できる。
【００４９】
図７及び図８に示す回路構成の駆動装置では、制御部ＣＯＮＴは走査駆動ＩＣ１３１に供給する電圧をフレーム毎に正の電圧＋Ｖ１、＋Ｖ３、＋Ｖ２から負の電圧−Ｖ２、−Ｖ３、−Ｖ１に、又はその逆に切り替えることで走査電極１１３へ印加する駆動電圧の極性を、各フレームにおいては単一極性とし、フレーム毎に反転させるように電源１４０’及び走査駆動ＩＣ１３１を制御する。この駆動装置によると、簡単な回路構成で液晶表示素子の駆動を実現できる。なお、図７は素子ＳＷ１〜ＳＷ４が１側に切り換えられた奇数番目フレームの状態を示しており、図８は素子ＳＷ１〜ＳＷ４が２側に切り換えられた偶数番目フレームの状態を示している。
【００５０】
画像の書換えは通常全ての走査ラインを順次選択して行う。部分的に書換える場合は、書き換えるべき部分を含むように特定の走査ラインのみを順次選択するようにすればよい。これにより、必要な部分のみを短時間で書き換えることができる。図７及び図８に示す回路構成では、走査駆動ＩＣに供給される電圧は、図３の構成に比べて２分の１になっている。従って、走査駆動ＩＣは図３の構成よりも安価な耐圧の低いものを使用することが可能である。
【００５１】
（駆動原理及び基本駆動例、図４から図６及び図９から図１１参照）
まず、前記液晶表示素子１００の駆動方法の基本原理について説明する。なお、ここでは、パルス波形を用いた具体例を挙げて説明するが、駆動方法がこの波形に限定されないことはいうまでもない。
【００５２】
図４（Ａ）は走査駆動ＩＣ１３１から各走査電極に出力される奇数番目フレームの基本駆動波形の一例を示す図であり、図４（Ｂ）は走査駆動ＩＣ１３１から各走査電極に出力される偶数番目フレームの基本駆動波形の一例を示す図である。
【００５３】
また、図５及び図６は走査駆動ＩＣ１３１から各走査電極（ロウ電極）に出力される電圧波形、信号駆動ＩＣ１３２から一部の信号電極（カラム電極）に出力される電圧波形、及びこれらの電圧により各画素に対応する液晶１１６部分（図ではＬＣＤ１〜ＬＣＤ２８として示す）に印加される電圧波形を示す図であり、図５に該電圧波形のうちの奇数番目フレームのためのものを、図６に該電圧波形のうちの偶数番目フレームのためのものを示す。
【００５４】
図５及び図６では、複数の走査電極１１３（図では２８本のロウ１、２〜２８）に順次選択パルスを出力し、複数の信号電極１１４のうちの一つを抜き出した一の信号電極（図ではカラムｂ（ｂはｂ≦ｎを満たす自然数）として示す）について、該カラムｂから信号パルスを出力する基本駆動例を示している。
【００５５】
カラムｂから出力される信号パルス波形は、ここではいずれの走査時間Ｔｓｓにおいても液晶の選択反射状態を選択するパルスが順次出力されるものとして図示しているが、各走査時間Ｔｓｓにおいて液晶の透明状態、液晶の選択反射状態及びそれらの混在状態をそれぞれ選択する信号パルス波形をカラムｂから出力することもできる。これについてはのちほど詳述する。
【００５６】
また、図中ＬＣＤ１、２〜２８は走査電極（ロウ１、２〜２８）と信号電極（カラムｂ）とが交差する画素に対応する液晶であり、該画素に対応する液晶に印加される電圧波形が示されている。なお、液晶には信号電極に印加される信号パスルによるクロストークパルスが印加される。これについてものちほど説明するので、図５及び図６ではクロストークパルスが印加される領域は太線で示している。
【００５７】
この駆動では、既述したように、各フレームの走査において走査電極（ロウ１、２〜２８）に印加する駆動電圧の極性を、各フレームにおいては単一極性とし、フレーム毎に反転させている。例えば、走査電極（ロウ１、２〜２８）のうちの最初の走査電極１から最後の走査電極２８までの１回の走査が完了する１フレームの走査においては前記駆動電圧を単一極性とし、各フレーム毎に前記駆動電圧の極性を反転させている。
【００５８】
駆動期間は、大きく分けて、リセット期間Ｔｒｓと、選択期間Ｔｓと、維持期間Ｔｒｔと、表示期間Ｔｉとから構成されている。選択期間Ｔｓは、さらに、選択パルス印加期間Ｔｓｐと、前選択期間Ｔｓｚ及び後選択期間Ｔｓｚ’を含んでいる。各期間は液晶表示素子周囲の環境温度に応じて適宜長さに調整される。すなわち、液晶組成物の温度による応答性の変化を補償するように、高温になるほど短く、低温になるほど長くなるように調整される。これによって、各パルスの幅（長さ）も変化する。
維持期間Ｔｒｔは、Ｔｄ×３≦Ｔｒｔ≦Ｔｄ×１２或いは２５℃の温度環境を基準としたときに３ｍｓ≦Ｔｒｔ≦９ｍｓになるように設定する。上述の通り維持期間Ｔｒｔの長さは温度によって調節される。すなわち、環境温度が高くなると短く、低くなると長くされる。本明細書では、一般的な使用環境である常温での特性を重視し２５℃の温度環境において維持期間Ｔｒｔを規定している。なお、維持パルスはその性質上、電圧値を任意に設定することはできず、限られた電圧範囲で設定する必要がある。例えば、後述する実験例の条件では維持電圧の可変幅は±０．７５Ｖ程度である。維持パルス電圧値が大き過ぎたり小さ過ぎたりすると所望のコントラストに制御できなくなる。従って、現実的には使用する温度環境により維持パルスの電圧値がほぼ決まってくる。
【００５９】
ここでＴｄとは液晶ごとに定まる値であり、図１に示すように複数の液晶層を含む積層型液晶表示素子の場合は各液晶層それぞれについて、また、液晶層が単層の液晶表示素子についてはその液晶層について定まる値である。
図１２に示すように、Ｔｄを求めるべき液晶をそれにホメオトロピック状態とする電圧を印加してホメオトロピック状態とした後電圧印加を停止して放置したとき該液晶の反射光強度Ｒが飽和に達したときの反射光強度を１００％としたとき、反射光強度が５％から９５％まで変化するに要する時間がＴｄである。
【００６０】
図４から図６に示すように、基本駆動波形において、リセット期間Ｔｒｓではリセットパルス（奇数番目フレームでは正パルス＋Ｖ１、偶数番目フレームでは負パルス−Ｖ１）が印加される。選択期間Ｔｓにおいては、選択パルス印加期間Ｔｓｐで選択パルス（奇数番目フレームでは正パルス＋Ｖ２、偶数番目フレームでは負パルス−Ｖ２）が印加される。さらに、この期間Ｔｓｐを含む走査期間Ｔｓｓでは信号駆動ＩＣ１３２から信号パルス±Ｖ４が重畳される。この信号パルス±Ｖ４は画像データに基づいて設定される電圧である。信号パルス±Ｖ４は、ここでは、デューティ比が５０％で、さらに正負電圧（＋Ｖ４、−Ｖ４）の絶対値が同じである矩形パルスである。また、基本駆動波形において、前選択期間Ｔｓｚ及び後選択期間Ｔｓｚ’は電圧ゼロの期間である。さらに、維持期間Ｔｒｔでは維持パルス（奇数番目フレームでは正パルス＋Ｖ３、偶数番目フレームでは負パルス−Ｖ３）が印加される。
【００６１】
液晶の動作は以下のとおりである。まず、リセット期間Ｔｒｓで＋Ｖ１（奇数番目フレーム）又は−Ｖ１（偶数番目フレーム）のリセットパルスが印加されると、液晶はホメオトロピック状態にリセットされる。次に、前選択期間Ｔｓｚを経て（液晶は捩じれが少しだけ戻る）選択パルス印加期間Ｔｓｐに到る。ここで印加される選択パルスの波形は、最終的にプレーナ状態を選択する画素と、フォーカルコニック状態を選択する画素とで異なる。
【００６２】
なお図４から図６にはプレーナ状態を選択する場合について示しているが、フォーカルコニック状態を選択する場合には、信号パルスの位相をプレーナ状態を選択する場合より半周期分ずらせばよく、両状態の混在状態（中間調）状態を選択するには、信号パルスの位相を半周期より短く或いは長くずらせばよい。例えば１／４周期分ずらせばよい（図１１参照）。
【００６３】
まず、プレーナ状態を選択する場合を説明する。この場合には、液晶に選択パルス印加期間Ｔｓｐで〔（＋Ｖ２）−（−Ｖ４）〕（奇数番目フレーム）（図５、図９参照）又は〔（−Ｖ２）−（＋Ｖ４）〕（偶数番目フレーム）（図６参照）の電圧を印加し、再び液晶をホメオトロピック状態にする。その後、後選択期間Ｔｓｚ’で液晶は捩じれが少しだけ戻った状態になる。その後、維持期間Ｔｒｔで＋Ｖ３（奇数番目フレーム）又は−Ｖ３（偶数番目フレーム）の維持パルスを印加すると、先の後選択期間Ｔｓｚ’で捩じれが少しだけ戻った状態になった液晶は、維持パルスが印加されることにより再び捩じれが解け、ホメオトロピック状態になる。なお、図９〜図１１においてＬＣＤｘは、ロウａに出力される選択パルス波形及びカラムｂに出力される信号パルス波形の双方が印加される液晶をあらわしている。
【００６４】
ここで、ホメオトロピック状態の液晶は電圧をゼロにすることによりプレーナ状態となり、プレーナ状態のまま固定される。
【００６５】
一方、最終的にフォーカルコニック状態を選択する場合には、選択パルス印加期間Ｔｓｐで（＋Ｖ２）−（＋Ｖ４）（奇数番目フレーム）（図１０参照）又は（−Ｖ２）−（−Ｖ４）（偶数番目フレーム）の電圧を印加する。そして、後選択期間Ｔｓｚ’では、液晶は捩じれが戻ってヘリカルピッチが２倍程度に広がった状態になる。
【００６６】
その後、維持期間Ｔｒｔで維持パルス＋Ｖ３（奇数番目フレーム）又は−Ｖ３（偶数番目フレーム）を印加する。後選択期間Ｔｓｚ’で捩じれが戻ってきた液晶は、この維持パルスを印加することにより、フォーカルコニック状態へと遷移する。ここで、フォーカルコニック状態の液晶は電圧をゼロにしても、フォーカルコニック状態のまま固定される。
【００６７】
中間調状態を選択するには、例えば信号パルスの位相を１／４周期分ずらすときには、奇数番目フレームについては図１１に示すように、選択パルス印加期間Ｔｓｐの１／２の期間で〔（＋Ｖ２）−（＋Ｖ４）〕を、引き続き残る１／２の期間で〔（＋Ｖ２）−（−Ｖ４）〕を印加し、偶数番目フレームについてはＴｓｐ／２の期間で〔（−Ｖ２）−（−Ｖ４）〕を、引き続き残るＴｓｐ／２の期間で〔（−Ｖ２）−（＋Ｖ４）〕を印加すればよい。
【００６８】
以上説明した液晶表示装置によると、液晶表示素子１００のマトリクス駆動のための各フレームの走査において走査電極１１３へ印加する駆動電圧の極性を、各フレームにおいては単一極性とし、フレーム毎に反転させるので、それだけ各フレームにおいて液晶１１６に印加される電圧の単一極性の状態が連続して続く時間を長くできる。これにより、液晶１１６に印加する電圧として、例えば、各フレームにおいて電圧波形の極性が周期的に変化する交番電圧を採用する場合に比べ、液晶１１６に印加される電圧の実質的な波形繰り返し周波数を下げることができるとともに走査電極１１３へ印加する駆動電圧の電圧値を２分の１にすることができ、それだけ液晶表示素子１００を駆動するための消費電力を低下させることができる。従って、液晶表示素子１００を駆動するための消費電力を小さくできる。
【００６９】
また、図５及び図６の太線で示すように、どの画素に対応する液晶ＬＣＤ１、ＬＣＤ２〜ＬＣＤ２８に印加される電圧波形も信号電極に印加される信号パルスによるクロストークを受ける。
【００７０】
しかし、ここではロウａに印加される選択パスルを、印加時間Ｔｓｐを走査時間Ｔｓｓの２分の１にした電圧とし、カラムｂに印加される信号パルスを、デューティ比が５０％で、さらに正負電圧の絶対値が同じである矩形パルスとすることで、各画素に対応する液晶ＬＣＤ１、ＬＣＤ２〜ＬＣＤ２８に印加されるクロストークによる電圧を実質上一定にでき、これにより該クロストークを受けたときの画像表示におけるシャードーイングが抑制される。
【００７１】
また、維持期間Ｔｒｔの長さがＴｄ×３≦Ｔｒｔ≦Ｔｄ×１２或いは２５℃の温度環境において３ｍｓ≦Ｔｒｔ≦９ｍｓに設定されることで、画像表示ムラ、特に配向膜各部におけるプレチルト角等のムラによる画面各部間の光反射率の差による表示ムラが抑制される。
【００７２】
次に、維持期間ＴｒｔはＴｄ×３≦Ｔｒｔ≦Ｔｄ×１２或いは２５℃の温度環境において３ｍｓ≦Ｔｒｔ≦９ｍｓに設定する根拠となった実験について説明する。
単層の液晶層を含む第１、第２の液晶表示素子を準備した。
【００７３】
＜第１の液晶表示素子＞
液晶層：ネマチック液晶ＺＬＩ１５６５  ８２．１重量部に
カイラル剤ＣＢ１５  １３．２重量部及びカイラル剤Ｒ１０１１  ４．７重量部を混合したカイラルネマチック液晶（粘度４９ｃ．Ｐ．）（材料はいずれもメルク社製）
一対の基板：厚さ０．７ｍｍの透明ガラス基板（観察側とは反対側基板の外面は青色に着色）
基板上電極：ＩＴＯ透明シート電極    抵抗１０Ω／□
電極上配向膜：ポリイミド膜
基板間ギャップ：スペーサにより５．５μｍ
【００７４】
＜第２の液晶表示素子＞
液晶層：ネマチック液晶ＢＬ００６  ８２．０重量部に
カイラル剤ＣＢ１５  １５．０重量部及びカイラル剤Ｒ１０１１  ３．０重量部を混合したカイラルネマチック液晶（粘度１２０ｃ．Ｐ．）（材料はいずれもメルク社製）
基板、電極、配向膜、基板間ギャップは第１液晶表示素子と同じ。
【００７５】
第１、第２の素子による、液晶層がフォーカルコニック状態時の表示（ＦＣ表示）、プレーナ状態時の表示（ＰＬ表示）における波長−光反射率の関係は、いずれも概ね図１３に示すものである。ピーク選択反射波長は略５９０ｎｍである。フォーカルコニック状態では青色が表示され、プレーナ状態では白色が表示される。
【００７６】
第１、第２の素子について、２５℃の温度環境下で以下に示す各種の測定を行った。まず、前記Ｔｄの測定を図１４に示す方法で行った。すなわち、素子の液晶層にパルス発生装置により駆動電圧を印加して該液晶層をホメオトロピック状態とし、その後電圧印加を停止し、該素子にリング照明具で光照射し、素子からの反射光を実体顕微鏡を介して光電変換素子（ここではフォトダイオード）にて光電変換し、さらに電流電圧変換装置にて電圧に変換してオシロスコープで観測した。駆動電圧として±５０Ｖ、１００Ｈｚの交番矩形波パルス電圧を用いた。その結果、第１の素子はＴｄ＝０．８ｍｓ、第２の素子はＴｄ＝１．０ｍｓであった。なお、図１４に示すように、測定中はサーミスタにより液晶表示素子近傍の温度を測定し、環境温度が一定温度に保たれていることをモニタで確認した。
【００７７】
次に、第１、第２の素子のそれぞれを、既述の走査電極には液晶をホメオトロピック状態にするためのリセット電圧、走査電極を選択状態とする選択信号電圧及び液晶の状態を確立するための維持電圧という一群の電圧を印加する一方、信号電極に走査電極への選択信号電圧印加に同期して信号電圧を印加するという方法で、次の条件で駆動した。
【００７８】
走査期間Ｔｓｓ＝０．７ｍｓ
リセット電圧Ｖ１＝＋４０Ｖ、リセット期間Ｔｒｓ＝４８ｍｓ
前選択期間Ｔｓｚ＝０．２８ｍｓ
選択パルス電圧Ｖ２＝＋２０．５Ｖ、選択パルス印加期間Ｔｓｐ＝０．０７ｍｓ
（Ｔｓｓ−Ｔｓｚ−Ｔｓｐ）＝０．３５ｍｓ
維持パルス電圧Ｖ３＝＋２８Ｖ
信号パルス電圧＝±４．５Ｖとし、
維持期間Ｔｒｔは種々変化させた。
【００７９】
その結果、維持期間Ｔｒｔと素子の反射率ムラΔＲ（％）（素子における最大反射率と最小反射率との差）の関係は図１５に示すようになった。また、Ｔｒｔが１ｍｓ〜５ｍｓのときにおける５９０ｎｍ波長光に対する素子のＦＣ表示時の反射率（％）、ＰＬ表示時の反射率（％）及びコントラストは次表のようになった。なお、光反射率はいずれも分光測色計ＣＭ３７００ｄ（ミノルタ社製）を用いて求めた。
【００８０】
2004198808.tif 000003
【００８１】
ΔＲ（％）≦２．５％であれば画像ムラが視認されにくく実用上許容できる。
図１５から分かるように、Ｔｄ＝０．８ｍｓの液晶表示素子においてΔＲ（％）≦２．５％を満足する維持期間Ｔｒｔ≒１０ｍｓであり、Ｔｄ＝１．０ｍｓの液晶表示素子ではＴｒｔ≒１２ｍｓである。このことから、いずれにしてもＴｒｔは（Ｔｄ×１２）程度以下が望ましいことが分かる。
【００８２】
コントラストは４程度以上なら実用上許容できる。従って前記表から、Ｔｒｔの下限値は３ｍｓ程度或いは（Ｔｄ×３）程度が好ましいと言える。
【００８３】
なお、走査電極への電圧印加は前記したようなフレームごとのプラス、マイナスの反転電圧印加である必要はなく、いずれのフレームについても交番電圧印加であってもよい。図１７は走査駆動ＩＣから各走査電極に交番電圧を印加する基本駆動波形の一例を示しており、図１８は走査駆動ＩＣから各走査電極（ロウ電極）に出力される電圧波形、信号駆動ＩＣから一部の信号電極（カラム電極）に出力される電圧波形、及びこれらの電圧により各画素に対応する液晶１１６部分（図ではＬＣＤ１〜ＬＣＤ２８として示す）に印加される電圧波形の例を示している。
【００８４】
【発明の効果】
以上説明したように本発明によると、コレステリック液晶の選択反射能を利用して画像表示する液晶表示素子を単純マトリクス駆動する液晶表示装置であって、画像表示ムラ、特に光反射率の差に基づく表示ムラの抑制された液晶表示装置を提供することができる。
【図面の簡単な説明】
【図１】単純マトリクス駆動方式により駆動できる反射型積層型液晶表示素子の概略構成を示す断面図である。
【図２】液晶層に駆動電圧を印加する駆動装置の主要部である駆動回路の１例のブロック図である。
【図３】図２に示す駆動回路の詳細な構成の一例を示す図である。
【図４】図４（Ａ）は走査駆動ＩＣから各走査電極に出力される奇数番目フレームの基本駆動波形を示す図であり、図４（Ｂ）は走査駆動ＩＣから各走査電極に出力される偶数番目フレームの基本駆動波形を示す図である。
【図５】走査駆動ＩＣから各走査電極に出力される電圧波形、信号駆動ＩＣから一部の信号電極に出力される電圧波形、及びこれらの電圧により各画素に対応する液晶に印加される電圧波形を示す図であり、該電圧波形のうちの奇数番目フレームのものを示す図である。
【図６】走査駆動ＩＣから各走査電極に出力される電圧波形、信号駆動ＩＣから一部の信号電極に出力される電圧波形、及びこれらの電圧により各画素に対応する液晶に印加される電圧波形を示す図であり、該電圧波形のうちの偶数番目フレームのものを示す図である。
【図７】図３に示す駆動回路の他の構成例を示す図であり、スイッチング素子が１側に切り換えられた奇数番目フレームの状態を示すものである。
【図８】図４に示す回路構成において、スイッチング素子が２側に切り換えられた偶数番目フレームの状態を示すものである。
【図９】ロウ電極に出力される選択パルス波形、カラム電極に出力される信号パルス波形、これらの電圧によって液晶に印加される電圧波形の選択期間部分を中心とする部分を拡大した図であり、液晶を選択反射状態にする様子を示している。
【図１０】図９と同様の図であり、液晶を透明状態にする様子を示している。
【図１１】図９と同様の図であり、液晶を中間調表示状態にする様子を示している。
【図１２】維持電圧印加期間を決めるための時間Ｔｄを示す図である。
【図１３】実験に用いた液晶表示素子のプレーナ状態、フォーカルコニック状態での波長−光反射率の関係を示す図である。
【図１４】時間Ｔｄの測定方法を示す図である。
【図１５】実験結果を示すグラフである。
【図１６】光反射率差により画像表示ムラが生じることを説明する図である。
【図１７】液晶表示素子の駆動方法の他の例において走査電極へ印加する基本駆動波形を示す図である。
【図１８】図１７に示す基本駆動波形を採用した場合の走査電極へ出力される電圧波形、信号電極へ出力される電圧波形及びこれらの電圧により各画素に対応する液晶部分に印加される電圧波形の例を示す図である。
【符号の説明】
１００  液晶表示素子
１１１Ｂ  青色表示層
１１１Ｇ  緑色表示層
１１１Ｒ  赤色表示層
１１２  透明基板
１１３  透明電極（走査電極、ロウ）
１１４  透明電極（信号電極、カラム）
１１５  樹脂製柱状構造物
１１６  コレステリック相を示す液晶
１１７  スペーサ
１１８  絶縁膜
１１９  配向制御膜
１２０  シール材
１２１  光吸収層
１３１  走査駆動ＩＣ（ドライバ）
１３２  信号駆動ＩＣ（ドライバ）
１３５  中央処理装置（ＣＰＵ）
１３６  ＬＣＤコントローラ
１３７  画像処理装置
１３８  画像メモリ
１４０  電源
１４０’  出力電圧の正負切り替え可能である電源
１４１  電源切替回路
ａ  複数のロウのうちの一つを抜き出した一のロウ
ｂ  複数のカラムのうちの一つを抜き出した一のカラム
ＣＯＮＴ  制御部
Ｃ  電圧安定化用のコンデンサ
Ｃ１，Ｃ２〜Ｃｎ  信号電極
Ｒ１，Ｒ２〜Ｒｍ  走査電極
ＳＷ１〜ＳＷ４  スイッチング素子
Ｔｉ  表示期間
Ｔｒｓ  リセット期間
Ｔｒｔ  維持期間
Ｔｓ  選択期間
Ｔｓｐ  選択パルス印加期間
Ｔｓｓ  走査時間
Ｔｓｚ  前選択期間
Ｔｓｚ’  後選択期間
Ｔｗ  書換え信号電圧の印加時間
Ｔｄ  維持電圧印加期間を決めるための液晶の立ち下がり時間
【図１】
2004198808.tif 000004
【図２】
2004198808.tif 000005
【図３】
2004198808.tif 000006
【図４】
2004198808.tif 000007
【図５】
2004198808.tif 000008
【図６】
2004198808.tif 000009
【図７】
2004198808.tif 000010
【図８】
2004198808.tif 000011
【図９】
2004198808.tif 000012
【図１０】
2004198808.tif 000013
【図１１】
2004198808.tif 000014
【図１２】
2004198808.tif 000015
【図１３】
2004198808.tif 000016
【図１４】
2004198808.tif 000017
【図１５】
2004198808.tif 000018
【図１６】
2004198808.tif 000019
【図１７】
2004198808.tif 000020
【図１８】
2004198808.tif 000021